(57)【要約】【課題】２個の矯正ロールの押し上げ量を同時に調整することができる線材矯正装置を提供する。【解決手段】２つの第１の加圧ロールと第１の溶射線材を矯正する第１の矯正ロールとから成る第１の矯正機構と、２つの第２の加圧ロールと第２の溶射線材を矯正する第２の矯正ロールとから成る第２の矯正機構とを備え、２つの第１の加圧ロールを一方の側面に取り付け２つの第２の加圧ロールを他方の側面に取り付けた加圧ロール支持部材と、加圧ロール支持部材の下方に設けた矯正ロール支持部材と、第１の矯正ロールを一方の側面に取り付け第２の矯正ロールを他方の側面に取り付けたスライド部材と、このスライド部材を矯正ロール支持部材に対してスライドさせる矯正ロールスライド機構とを備えている。この結果、一つの調整ボルトを回転させて、２個の矯正ロールの押し上げ量を調整することができる。【選択図】図１
2008073719.tif 000002
【特許請求の範囲】
【請求項１】
２つの第１の加圧ロールとこれらの中央下方に設けられて第１の溶射線材を矯正する第１の矯正ロールとから成る第１の矯正機構と、
２つの第２の加圧ロールとこれらの中央下方に設けられて第２の溶射線材を矯正する第２の矯正ロールとから成る第２の矯正機構とを備えた線材矯正装置において、
前記２つの第１の加圧ロールを一方の側面に回転自在に取り付け前記２つの第２の加圧ロールを他方の側面に回転自在に取り付けた加圧ロール支持部材と、
前記加圧ロール支持部材の下方に設けた矯正ロール支持部材と、
前記第１の矯正ロールを一方の側面に回転自在に取り付け前記第２の矯正ロールを他方の側面に回転自在に取り付けたスライド部材と、
このスライド部材を前記矯正ロール支持部材に対してスライドさせる矯正ロールスライド機構と、
を備えたことを特徴とする線材矯正装置。
【請求項２】
請求項１記載の矯正ロールスライド機構が、
前記スライド部材の下端部に取り付けたナットと、
ボルトねじ部とボルト頭部と前記ボルトねじ部と前記ボルト頭部との間に形成したボルト平坦部とから成り前記ナットにねじ込まれた調整ボルトと、
前記ボルト平坦部が挿通されて軸芯部を中心に回転自在に支持されて前記矯正ロール支持部材に取り付けた調整ボルト支持部材と、
前記スライド部材をガイドし前記矯正ロール支持部材に取り付けたガイド部材と、
を備えたことを特徴とする線材矯正装置。
【請求項３】
前記加圧ロール支持部材の一端部に前記矯正ロール支持部材の一端部を着脱可能に取り付け、
前記加圧ロール支持部材の他端部に前記矯正ロール支持部材の他端部を前記矯正ロール支持部材の一端部が下方へ開くように回転自在に取り付けていることを特徴とする請求項１又は請求項２記載の線材矯正装置。
【発明の詳細な説明】
【技術分野】
【０００１】
本発明は、アーク溶射装置に設けられて、溶射線材を矯正するための改良された線材矯正装置に関するものである。
【背景技術】
【０００２】
アーク溶射法は、２本の溶射線材を溶射ガンに設けられた２個のコンタクトチップへそれぞれ送給し、２本の溶射線材の先端間にアークを発生させる。そして、このアーク熱によって溶射線材を溶融し、その溶融速度に従って溶射線材を送給しながら圧縮ガスなどの噴射によって溶融金属を微細化させ、被溶射物に吹き付けて溶射皮膜を形成する。
【０００３】
図５は、一般的なアーク溶射装置の構成を示す図である。同図において、溶射電源装置１は、商用電源を入力として、例えばインバータ制御回路によって出力が定電圧制御されて、溶射ガン２に電力を供給する。コンプレッサ３は圧縮ガスを噴出し、この噴出された圧縮ガスは、溶射電源装置１内に設けられた電磁弁（図示を省略）を通過して溶射ガン２に供給される。２個のプッシュ側線材送給機４ａ、４ｂは、２個の線材リール５ａ、５ｂからの溶射線材を送り出す。２本のガイドチューブ６ａ、６ｂは、これらの送り出された溶射線材を、２個のプッシュ側線材送給機４ａ、４ｂと離れた場所にある溶射ガン２までガイドする。
【０００４】
溶射ガン２には、溶射線材を送り出す２個のプル側線材送給機（図示を省略）及び２個のコンタクトチップ（図示を省略）が設けられていて、これらに２本の溶射線材がそれぞれ送給されて通電される。リモコン７によって溶射電圧と溶射線材送給速度とが設定される。
【０００５】
上述したアーク溶射装置においては、２本の溶射線材を消耗電極として、２本の溶射線材が交差するように案内する位置にコンタクトチップを配置している。そして、２本の溶射線材の交点であるアーク点で、電気的にアークを発生させて２本の溶射線材を溶融し、圧縮ガスでその溶滴を基材に向けて吹き飛ばすとともに、微細化することで溶射皮膜を形成する。（例えば、特許文献１参照。）
【０００６】
上述した溶射線材は、線材リール５ａ、５ｂに巻かれているために、いわゆる巻きぐせが生じている。 そのために、この巻きぐせを矯正しないで使用すると、コンタクトチップの先端部から送り出された２本の溶射線材が、交差し合うアーク点に案内されなくなる。その結果、本来の適正なアークを発生することができなくなる場合がある。その場合、溶射粒子が粗大化したり、場合によっては、未溶融の溶射線材が皮膜に付着するなどして、皮膜品質が低下するという問題があった。そこで従来、巻きぐせを矯正する線材矯正器を設けた線材送給装置が提案されている。
【０００７】
この従来技術の線材送給装置の構造を説明するために、まず、同様の構造を有する消耗電極ガスシールドアーク溶接装置における溶接ワイヤ送給装置について説明する。図６は、従来技術の消耗電極ガスシールドアーク溶接装置のワイヤ矯正器１２を設けた溶接ワイヤ送給装置９を示す図である。同図において、ワイヤリール１０に巻かれた溶接ワイヤ１１がワイヤ矯正器１２に挿入されて、ワイヤ送給器１３に挿入されている。ワイヤ矯正器１２において、溶接ワイヤ１１が２個の受けロール１４、１５と矯正ロール１６とで案内され、この矯正ロール１６は、２個の受けロール１４、１５の中間部下方から図示を省略した押し上げ機によって溶接ワイヤ１１を上方に押圧して、巻きぐせを除去して直線状に矯正している。
【０００８】
そして、ワイヤ矯正器１２によって矯正された溶接ワイヤ１１が、ワイヤ送給器１３に挿入されて、図示を省略した加圧機によって加圧ロール１７が溶接ワイヤ１１を送給ロール１８に押圧して、溶接ワイヤ１１を送り出している。（例えば、特許文献２参照。）。  
【０００９】
アーク溶射装置に使用される従来技術の線材送給装置においては、図６に示したワイヤリール１０を線材リールに、溶接ワイヤ１１を溶射線材に、ワイヤ矯正器１２を線材矯正器に、ワイヤ送給器１３を線材送給器に、ワイヤ送給方向を線材送給方向に読み替えると同様の機能を示すので、説明を省略する。
【特許文献１】特開２００５−２４８２２９号公報
【特許文献２】実開昭５６−１６０６７２号公報
【発明の開示】
【発明が解決しようとする課題】
【００１０】
上述したように、アーク溶射装置においては、２本の溶射線材を消耗電極として送給するために、線材矯正器及び線材送給器からなる線材送給装置を、２本の溶射線材のそれぞれに対して設ける必要がある。そして、溶射線材の矯正量を調整する方法としては、矯正ロールを上方に押し上げるときの押し上げ量によって調整するものが一般的である。通常、押し上げ量を調整する機構として、矯正ロールの位置を上下に移動させる調整ボルト（図示を省略）が設けられていて、この調整ボルトのねじ込みによって矯正ロールの上方への押し上げ量を調整して、溶射線材の矯正量を調整する。この押し上げ量を再現させるために指針と目盛りが設けられているものもある。
【００１１】
そして、皮膜品質を安定させるためには、２本の溶射線材の巻きぐせを同じように除去して、２本の溶射線材の先端が、正確にアーク点へ案内されるようにする必要がある。この巻きぐせを除去するための調整は、矯正ロールの押し上げ量の調整によって決定される。この押し上げ量を示すために指針と目盛りが設けられているが、指針と目盛りでは表現できないような非常に微少な押し上げ量で、巻きぐせを除去する場合があり、その場合、２個の矯正ロールの位置を別々に調整すると、２個の矯正ロールの押し上げ量に違いが出てくる。
【００１２】
そのために、２個の線材矯正器の調整ボルトを別々に調整して、２個の矯正ロールの押し上げ量を同一に調整することは、非常に難しく時間がかかる。溶射線材を交換するときには、調整ボルトを解放するために、そのたびに押し上げ量の調整を行う必要があり、作業効率が低下する問題があった。
【００１３】
本発明は、２本の溶射線材の巻きぐせを除去するために２個の矯正ロールの押し上げ量を同時に調整することができる線材矯正装置を提供することを目的としている。
【課題を解決するための手段】
【００１４】
第１の発明は、
２つの第１の加圧ロールとこれらの中央下方に設けられて第１の溶射線材を矯正する第１の矯正ロールとから成る第１の矯正機構と、
２つの第２の加圧ロールとこれらの中央下方に設けられて第２の溶射線材を矯正する第２の矯正ロールとから成る第２の矯正機構とを備えた線材矯正装置において、
前記２つの第１の加圧ロールを一方の側面に回転自在に取り付け前記２つの第２の加圧ロールを他方の側面に回転自在に取り付けた加圧ロール支持部材と、
前記加圧ロール支持部材の下方に設けた矯正ロール支持部材と、
前記第１の矯正ロールを一方の側面に回転自在に取り付け前記第２の矯正ロールを他方の側面に回転自在に取り付けたスライド部材と、
このスライド部材を前記矯正ロール支持部材に対してスライドさせる矯正ロールスライド機構と、
を備えたことを特徴とする線材矯正装置である。
【００１５】
第２の発明は、
第１の発明に記載の矯正ロールスライド機構が、
前記スライド部材の下端部に取り付けたナットと、
ボルトねじ部とボルト頭部と前記ボルトねじ部と前記ボルト頭部との間に形成したボルト平坦部とから成り前記ナットにねじ込まれた調整ボルトと、
前記ボルト平坦部が挿通されて軸芯部を中心に回転自在に支持されて前記矯正ロール支持部材に取り付けた調整ボルト支持部材と、
前記スライド部材をガイドし前記矯正ロール支持部材に取り付けたガイド部材と、
を備えたことを特徴とする線材矯正装置である。
【００１６】
第３の発明は、
前記加圧ロール支持部材の一端部に前記矯正ロール支持部材の一端部を着脱可能に取り付け、
前記加圧ロール支持部材の他端部に前記矯正ロール支持部材の他端部を前記矯正ロール支持部材の一端部が下方へ開くように回転自在に取り付けていることを特徴とする第１の発明又は第２の発明に記載の線材矯正装置である。
【発明の効果】
【００１７】
第１の発明及び第２の発明の線材矯正装置は、一つの矯正ロールスライド機構のスライド部材２７の側面に２個の矯正ロール２８、２９をそれぞれ取り付けて、一つの調整ボルト３６を回転させて、２個の矯正ロール２８、２９の押し上げ量を調整している。その結果、２個の矯正ロール２８、２９の押し上げ量を同時に調整することができる。
【００１８】
第３の発明の線材矯正装置は、２本の溶射線材３２、３３を交換するときに、矯正ロール支持部材の一端部２６ａの解放ネジ４０をゆるめて取り外すだけで、矯正ロール支持部材の他端部２６ｂの回転軸４１を中心として開放することができる構造になっている。従って、第１の発明又は第２の発明の線材矯正装置が奏する効果に加えて、２本の溶射線材３２、３３を交換するときに、調整ボルト３６をゆるめる必要がないので、再調整する必要がない。
【発明を実施するための最良の形態】
【００１９】
発明の実施の形態を実施例に基づき図面を参照して説明する。図１乃至図３は、本発明の線材矯正装置２０を示す図であって、図１は、線材リールから送り出された溶射線材が線材矯正装置２０に挿通された状態を示し、図２は線材矯正装置２０の正面図であり、図３は線材矯正装置２０の側面図である。
【００２０】
図２及び図３において、加圧ロール支持部材の右側面２１ａに２つの第１の加圧ロール２２、２３を回転自在に取り付け、左側面２１ｂに２つの第２の加圧ロール２４、２５を回転自在に取り付けている。ここで、第１の加圧ロール２２は図示を省略しているが、第２の加圧ロール２４と対称の位置に取り付けている。そして、加圧ロール支持部材２１の下方に矯正ロール支持部材２６を設けて、後述する矯正ロールスライド機構３４によって、矯正ロール支持部材２６に対してスライド部材２７をスライドさせる。このスライド部材２７の右側面２７ａに第１の矯正ロール２８を回転自在に取り付け、左側面２７ｂに第２の矯正ロール２９を回転自在に取り付けている。
【００２１】
第１の矯正機構３０は、２つの第１の加圧ロール２２、２３と、これらの中央下方に設けた第１の矯正ロール２８とから成り、第１の溶射線材３２を矯正する。また、第２の矯正機構３１は、２つの第２の加圧ロール２４、２５と、これらの中央下方に設けた第２の矯正ロール２９とから成り、第２の溶射線材３３を矯正する。
【００２２】
上述した矯正ロールスライド機構３４として、スライド部材２７の下端部にナット３５を取り付け、このナット３５に調整ボルト３６をねじ込んでいる。この調整ボルト３６は、ナット３５にねじ込むボルトねじ部３６ａと、作業者が手で調整するボルト頭部３６ｃと、これらのボルトねじ部３６ａとボルト頭部３６ｃとの間にねじ山が形成されていないボルト平坦部３６ｂとから成っている。調整ボルト支持部材３７を矯正ロール支持部材２６に取り付け、調整ボルト支持部材３７に調整ボルト３６のボルト平坦部３６ｂを挿通して、このボルト平坦部３６ｂが軸芯部を中心に回転自在に支持されている。スライド部材２７をガイドするガイド部材３８、３９を矯正ロール支持部材２６に取り付けている。このガイド部材３８、３９は、図２においては、スライド部材２７の線材送給方向の先端部２７ｄ及び後端部２７ｃに設けているが、一方のみに設けても良い。
【００２３】
次に、図４を参照して説明する。図４は、矯正ロール支持部材の一端部２６ａが開放された状態を示す図である。同図において、矯正ロール支持部材の一端部２６ａに開放ねじ４０を設けて、加圧ロール支持部材の一端部２１ｃに対して着脱可能に取り付けている。また、矯正ロール支持部材の他端部２６ｂの回転軸４１を中心として、矯正ロール支持部材の一端部２６ａが加圧ロール支持部材の一端部２１ｃから下方へ開くように取り付けている。
【００２４】
以下、図１乃至図４を参照して動作を説明する。まず、線材矯正装置２０に溶射線材が挿通されていない状態で、矯正ロール支持部材の一端部２６ａに設けた開放ねじ４０をゆるめて、加圧ロール支持部材の一端部２１ｃから取り外す。そして、矯正ロール支持部材の他端部２６ｂの回転軸４１を中心として、加圧ロール支持部材の一端部２１ｃから矯正ロール支持部材の一端部２６ａを下方へ開く。そして、第１の溶射線材３２を２つの第１の加圧ロール２２、２３と第１の矯正ロール２８との間に挿通し、第２の溶射線材３３を２つの第２の加圧ロール２４、２５と第２の矯正ロール２９との間に挿通する。そして、矯正ロール支持部材の一端部２６ａに設けた開放ねじ４０を加圧ロール支持部材の一端部２１ｃにねじ込んで、矯正ロール支持部材２６を加圧ロール支持部材２１に固定する。
【００２５】
次に、調整ボルトのボルト頭部３６ｃを回転させると、調整ボルトのボルト平坦部３６ｂが調整ボルト支持部材３７に対して軸芯部を中心に回転する。その結果、ナット３５を取り付けたスライド部材２７がガイド部材３８、３９に対してスライドして、スライド部材２７に取り付けた第１の矯正ロール２８と第２の矯正ロール２９とを、同時に同じ距離だけ上下させることができる。ここで、第１の矯正ロール２８と第２の矯正ロール２９との押し上げ量を適切な量に設定する。そして、第１の矯正機構３０によって第１の溶射線材３２を矯正し、第２の矯正機構３１によって第２の溶射線材３３を矯正する。このとき、２本の溶射線材３２、３３の巻きぐせの除去の調整は、調整ボルト３６を回転させて、スライド部材２７をスライドさせることによって行うことができる。この結果、第１の矯正ロール２８と第２の矯正ロール２９とは、同じ量だけスライドし、押し上げ量も同一に調整される。
【００２６】
そして、溶射を行った後に、２本の溶射線材３２、３３を交換するときは、矯正ロール支持部材の一端部２６ａに設けた開放ねじ４０をゆるめて、加圧ロール支持部材の一端部２１ｃから取り外す。そして、矯正ロール支持部材の他端部２６ｂの回転軸４１を中心として、加圧ロール支持部材の一端部２１ｃから矯正ロール支持部材の一端部２６ａを下方へ開く。そして、２本の溶射線材３２、３３を交換する。
【００２７】
この結果、２本の溶射線材の巻きぐせを除去するために２個の矯正ロール２８、２９の押し上げ量を同時に調整することができる。従って、２個の矯正ロール２８、２９の押し上げ量を同一に調整することができるので、２本の溶射線材３２、３３をアーク点に容易に案内することができ、良好なアークと皮膜品質を簡単に確保することができる。
【００２８】
また、２本の溶射線材３２、３３を交換するときに、矯正ロール支持部材の一端部２６ａの解放ネジ４０をゆるめて取り外すだけで、矯正ロール支持部材の他端部２６ｂの回転軸４１を中心として開放することができる構造になっている。従って、２本の溶射線材３２、３３を交換するときに、調整ボルト３６をゆるめる必要がないので、再調整する必要がなく、調整ボルト３６によって、一度、最良の皮膜品質を確保するように微調整された２個の矯正ロール２８、２９の押し上げ量を、常に維持することができ、良好な皮膜品質を維持することができる。
【図面の簡単な説明】
【００２９】
【図１】本発明の線材リールから送り出された溶射線材が線材矯正装置２０に挿通された状態を示している。
【図２】線材矯正装置２０の正面図である。
【図３】線材矯正装置２０の側面図である。
【図４】矯正ロール支持部材の一端部２６ａが開放された状態を示す図である。
【図５】一般的なアーク溶射装置の構成を示す図である。
【図６】従来技術の消耗電極ガスシールドアーク溶接装置のワイヤ矯正器１２を設けた溶接ワイヤ送給装置９を示す図である。
【符号の説明】
【００３０】
１            溶射電源装置
２            溶射ガン
３            コンプレッサ
４ａ、４ｂ        プッシュ側線材送給機
５ａ、５ｂ        線材リール
６ａ、６ｂ        ガイドチューブ
７            リモコン
９            溶接ワイヤ送給装置
１０            ワイヤリール
１１            溶接ワイヤ
１２            ワイヤ矯正器
１３            ワイヤ送給器
１４、１５        受けロール
１６            矯正ロール
１７            加圧ロール
１８            送給ロール
２０            線材矯正装置
２１            加圧ロール支持部材
２１ａ            加圧ロール支持部材の右側面
２１ｂ            加圧ロール支持部材の左側面
２１ｃ            加圧ロール支持部材の一端部
２２、２３        第１の加圧ロール
２４、２５        第２の加圧ロール
２６            矯正ロール支持部材
２６ａ            矯正ロール支持部材の一端部
２６ｂ            矯正ロール支持部材の他端部
２７            スライド部材
２７ａ            スライド部材の右側面
２７ｂ            スライド部材の左側面
２７ｃ            スライド部材の後端部
２７ｄ            スライド部材の先端部
２８            第１の矯正ロール
２９            第２の矯正ロール
３０            第１の矯正機構
３１            第２の矯正機構
３２            第１の溶射線材
３３            第２の溶射線材
３４            矯正ロールスライド機構
３５            ナット
３６            調整ボルト
３６ａ            調整ボルトのねじ部
３６ｂ            調整ボルトのボルト平坦部
３６ｃ            調整ボルトのボルト頭部
３７            調整ボルト支持部材
３８、３９        ガイド部材
４０            解放ネジ
４１            回転軸
【図１】
2008073719.tif 000003
【図２】
2008073719.tif 000004
【図３】
2008073719.tif 000005
【図４】
2008073719.tif 000006
【図５】
2008073719.tif 000007
【図６】
2008073719.tif 000008